(57)【要約】【課題】屋根の高さ制限や北側斜線問題に配慮した上でも屋根の重厚感を損なうことなく、また斬新なデザインを形成することができる建物の屋根構造を提供すること。【解決手段】寄棟屋根１０の棟１の長さ方向の途中から、その寄棟屋根１０と同じ棟の向きをもつ切妻屋根２０に形成された建物Ｔの屋根構造であって、寄棟屋根１０の梁間方向Ｈの一側の屋根１３と、切妻屋根２０の梁間方向Ｈの一側の屋根２２の屋根勾配が同一で、かつ連続屋根として形成され、寄棟屋根１０の梁間方向Ｈの他側の屋根１１と、切妻屋根の梁間方向Ｈの他側の屋根２１の屋根勾配が同一で、かつ不連続屋根として形成されている屋根構造。【選択図】      図１
2004346524.tif 000002
【特許請求の範囲】
【請求項１】
寄棟屋根の棟の長さ方向の途中から、その寄棟屋根と同じ棟の向きをもつ切妻屋根に形成された建物の屋根構造であって、
前記寄棟屋根の梁間方向の一側の屋根と、前記切妻屋根の梁間方向の一側の屋根の屋根勾配が同一で、かつ連続屋根として形成され、
前記寄棟屋根の梁間方向の他側の屋根と、前記切妻屋根の梁間方向の他側の屋根の屋根勾配が同一で、かつ不連続屋根として形成されされていることを特徴とする建物の屋根構造。
【請求項２】
請求項１記載の建物の屋根構造において、前記寄棟屋根は前記切妻屋根よりも大きく形成されていることを特徴とする建物の屋根構造。
【請求項３】
請求項１または２に記載の建物の屋根構造において、前記寄棟屋根は前記建物の北側に面し、前記切妻屋根は前記建物の南側に面していることを特徴とする建物の屋根構造。
【請求項４】
請求項１〜３何れかに記載の建物の屋根構造において、前記寄棟屋根の梁間方向の他側の屋根は、切妻屋根の妻側として形成されていることを特徴とする建物の屋根構造。
【請求項５】
請求項１〜４何れかに記載の建物の屋根構造において、前記寄棟屋根に少なくとも一つの天窓が設けられていることを特徴とする建物の屋根構造。
【請求項６】
請求項１〜５何れかに記載の建物の屋根構造において、前記建物の外壁の一部が異なる外壁模様に形成されていることを特徴とする建物の屋根構造。
【発明の詳細な説明】
【０００１】
【発明の属する技術分野】
本発明は、建物の屋根構造に関し、特に屋根のデザイン性の向上を図ることができる屋根の技術に関する。
【０００２】
【背景技術】
従来より住宅等の建物の屋根には様々な形態がある。例えば、棟を頂点に両端の下方へと展開する切妻屋根、棟の両端から四隅にそれぞれ降り、どの方向から見ても屋根面が見える、三角形と台形の平面で構成された寄棟屋根、切妻屋根と寄棟屋根を組み合わせた様な形で、お城やお寺などにも多く見受けられる入母屋屋根等がある。また、マンションやビルなどの鉄筋コンクリート建築に多用され、屋根勾配がほとんど無い水平な陸屋根（平屋根）等も知られている。
【０００３】
このような屋根の中でも、一般的な住宅に多く採用されているのが切妻屋根と寄棟屋根である。一方、近年の住宅では建物全体に外観上の重厚感や美観を持たせることが重要な要素となってきている。屋根は建物全体の美観に大きな影響を与えることから、屋根構造に十分に配慮する必要があった。しかしながら、屋根の重厚感や美観の向上を図ることによって、建物の高さ制限を受けてしまう恐れもあった。また、建築基準法に基づく北側斜線に対応した屋根構造とする必要もあった。
【０００４】
本出願人は既に、このような点を考慮した屋根構造として、美しい景観や重厚感を維持することができる住宅の屋根構造を提案している（例えば、特許文献１参照。）。これは、寄棟屋根の一部を建物内の下屋の屋根として構成することで、寄棟屋根とする建物の大型化等に伴う屋根の高さ制限の問題を解決し、寄棟屋根としての美しい景観や重厚感を維持することができるものである。
【０００５】
【特許文献１】特開２０００−２９７４９４
【０００６】
【発明が解決しようとする課題】
一方、近年の住宅では建物全体に外観上の重厚感や美観を持たせることに加え、建物にオリジナリティーを持たせることも望まれてきている。特に、分譲住宅が立ち並ぶ住宅街においては、隣家とは異なる美しい外観にすることが居住者に望まれている。しかしながら、立地場所や高さ制限の問題を含めると、居住者が望む屋根構造とすることができない場合もあった。
【０００７】
本発明は、屋根の高さ制限や北側斜線問題に配慮した上でも屋根の重厚感を損なうことなく、また斬新なデザインを形成することができる建物の屋根構造を提供することにある。
【０００８】
【課題を解決するための手段】
寄棟屋根の棟の長さ方向の途中から、その寄棟屋根と同じ棟の向きをもつ切妻屋根に形成された建物の屋根構造であって、寄棟屋根の梁間方向の一側の屋根と、切妻屋根の梁間方向の一側の屋根の屋根勾配が同一で、かつ連続屋根として形成され、寄棟屋根の梁間方向の他側の屋根と、切妻屋根の梁間方向の他側の屋根の屋根勾配が同一で、かつ不連続屋根として形成されている構造とした。
【０００９】
このような本発明によれば、屋根に重厚感と斬新なデザイン性を持たせることができる。すなわち、屋根の四辺のうち、一辺は切妻屋根として形成され、他の三辺は寄棟屋根として形成されていることになる。また、寄棟屋根の梁間方向の他側の屋根と、切妻屋根の梁間方向の他側の屋根が不連続屋根として形成されていることで、屋根のデザインが単調的にならず、美観を向上させることができる。さらに、各屋根の屋根勾配は同一に形成されているので、建物全体の統一感を損なうことがない。
【００１０】
前記寄棟屋根は切妻屋根よりも大きく形成されていることが望ましい。このように形成した場合、屋根の重厚感およびデザイン性の向上を図ることができる。すなわち、寄棟屋根と切妻屋根の大きさに変化を与えることによって、外観上の重厚感も増し、建物全体の単調化を防ぐことができる。
【００１１】
前記寄棟屋根は建物の北側に面し、切妻屋根は建物の南側に面していることが望ましい。このようにした場合、北側が北側斜線に対応した屋根構造とすることができる。また、切妻屋根が南側に面していることで、十分な採光を確保することができる。
【００１２】
前記寄棟屋根の梁間方向の他側の屋根は、切妻屋根の妻側として形成されていることが望ましい。このよう形成した場合、正面から見ると前後に二段階の切妻屋根が形成される。すなわち、寄棟屋根と切妻屋根の大きさが相違しており、かつ寄棟屋根の梁間方向の他側の屋根が妻側として形成されていることで、オリジナリティーと重厚感を兼ね揃えた屋根構造とすることができる。屋根構造とすることができる。
【００１３】
前記寄棟屋根に少なくとも一つの天窓が設けられていることが望ましい。このようにした場合、寄棟屋根のデザイン性の向上に加え、居室内の採光性を充分に確保することができる。
【００１４】
前記建物の外壁の一部が異なる外壁模様に形成されていることが望ましい。このように形成した場合、建物全体のデザイン性を向上させることができるとともに、オリジナリティーを持たせることができる。
【００１５】
【発明の実施の形態】
【００１６】
以下、本発明の実施の形態について、図面を参照して説明する。
図１は住宅の屋根の平面図、図２は住宅の南側立面図、図３は住宅の北側立面図、図４は住宅の西側立面図、図５は住宅の東側立面図である。
この実施形態では、本発明を住宅の屋根に適用した例を示す。
【００１７】
これらの図において、住宅Ｔは正面が南側に面して配置された２階建て住宅である。この住宅Ｔに設けられている屋根Ｙは図１に示すように、北側に面した寄棟屋根１０と、南側に面した切妻屋根２０とで構成されている。屋根Ｙは、屋根下地材（図示しない）に複数の屋根パネル（図示しない）を固定し、それらを組み合わせて形成されている。寄棟屋根１０の棟１と切妻屋根２０に設けられた棟２は、同じ棟の向きで、かつ互い違いに形成されている。
【００１８】
寄棟屋根１０は、東側に面した東側屋根面１１（寄棟屋根の梁間方向の他側の屋根）と、北側に面した北側屋根面１２と、西側に面した西側屋根面１３（寄棟屋根の梁間方向の一側の屋根）と、南側に面した南側屋根面１４とによって構成されている。切妻屋根２０は、東側に面した東側屋根面２１（切妻屋根の梁間方向の他側の屋根）と、西側に面した西側屋根面２２（切妻屋根の梁間方向の一側の屋根）と、南側に面した南側屋根面２３とによって構成されている。
【００１９】
寄棟屋根１０、切妻屋根２０は図２に示すように、南側屋根面１４と南側屋根面２３が形成されているため、南側からは寄棟屋根１０および切妻屋根２０共に切妻屋根の妻側が形成された形状となっている。
【００２０】
また、図１〜３、図５に示すように、東側の東側屋根面１１および東側屋根面２１は、屋根勾配が同一で、かつ梁間方向Ｈに不連続に形成されている。また、西側の西側屋根面１３および西側屋根面２２は、屋根勾配が同一で、かつ梁間方向Ｈに連続的に形成されている。これらの屋根の勾配角度は約４０度に形成されている。なお、寄棟屋根１０は切妻屋根２０よりも大きく形成されており、東側屋根面１１は、東側屋根面２１よりも高く、軒先へ張り出した形態となっており、西側屋根面１３は、西側屋根面２２よりも高く形成されている。
【００２１】
したがって、屋根に重厚感と斬新なデザイン性を持たせることができる。すなわち、屋根面を連続的に形成した屋根と、不連続に形成した屋根とを一つの屋根とすることで、屋根のデザインが単調的にならず、美観を向上させることができる。さらに、東側屋根面１１、西側屋根面１３、東側屋根面２１および西側屋根面２２の各屋根の屋根勾配は同一に形成されているので、建物全体の統一感が損なわれないように形成することができる。
【００２２】
また、屋根Ｙを南側から見ると前後に二段階に形成された切妻屋根とすることができる。すなわち、寄棟屋根１０と切妻屋根２０の大きさや高さが相違しているため、オリジナリティーと重厚感を兼ね揃えた屋根構造とすることができる。
【００２３】
また、北側に面した北側屋根面１２は図４に示すように、寄棟屋根の形状となっている。つまり、屋根Ｙを北側から見ると寄棟屋根として見ることができる。したがって、東西南北の全てが異なるデザインの屋根構造となっており、建物全体の単調化を防いだ、優れた屋根構造が形成されている。
【００２４】
さらに、北側屋根面１２は建築基準法に基づく北側斜線に対応した屋根勾配となっており、隣家への日照を妨げないよう配慮されている。この屋根勾配角度は約４０度に形成されている。これにより、高さ制限の問題を解消することができる。また、北側屋根面１２は東側屋根面１１、２１、西側屋根面１３、２２の各屋根の屋根勾配と同一に形成されているので、建物全体に統一感を生むことができる。
【００２５】
また、西側屋根面１３および北側屋根面１２には天窓１５、１６、１７がそれぞれ設けられている。この天窓１５〜１７は内部に備えられているブラインド等により日射取得、日射遮蔽をコントロールすることが可能となっている。したがって、屋根のデザイン性の向上に加え、居室内の採光性を十分に配慮した構造となっている。
【００２６】
上記、屋根構造によれば、住宅Ｔの屋根Ｙに寄棟屋根１０と切妻屋根２０を設けているため、居住者のニーズに応じた屋根構造を形成することができる。つまり、切妻屋根にした場合、寄棟屋根に比べて高さ制限の問題が生じる恐れがあるが、陽射しを効果的に取り入れる利点がある。一方、寄棟屋根にした場合、住宅に重厚感を持たせることができ、屋根勾配も切妻屋根と比較して低いことが多いため、高さ制限を受けにくいという利点がある。
【００２７】
本発明は、切妻屋根と寄棟屋根の利点を併せもった屋根構造であるため、居住者による屋根形状の選択において、その自由度を高めることが可能となる。つまり、居住者が切妻屋根、寄棟屋根のどちらを選択した場合でも、デザイン性および機能性に優れた屋根構造を提供することができる。
【００２８】
次に、住宅Ｔの外観構造について説明する。図２、３、５に示すように、住宅Ｔの２階部分となる外壁３はタイル模様に形成され、１階部分の外壁４や２階部分の他の外壁５とは異なる外壁模様が形成されている。このように、外壁部分に変化を与えることで、建物全体のデザイン性を向上させることができる。これにより、分譲住宅などに頻繁に見られる外観が均一な住宅とは相違したオリジナリティーを持った建物構造とすることができる。
【００２９】
また、図２〜５に示すように、この住宅Ｔには複数の窓が設けられている。南側では、１階に窓３０、２階に窓３１，３２が設けられている。これは切妻屋根２０の妻側に設けられているため、切妻屋根の利点を利用し、陽射しを十分に取り入れることができる。
【００３０】
東側では、１階に窓３３と２階に複数の窓３４が設けられている。２階に複数の窓３４を設けることにより、採光と庇による遮蔽効果の機能を両立することができる。西側では、１階に窓３５、３５および小窓３７、２階に窓３６と小窓３７がそれぞれ設けられている。西側は、上述したように西側屋根面１３、２２に天窓１６、１７が設けられているため、居室内に対しての陽射しを天窓によりコントロールすることができる。
【００３１】
北側は、１階に窓３７、２階に窓３８が設けられ、その中間に小窓３８が設けられている。北側も天窓１５が設けられているため、居室内に対しての陽射しを天窓によりコントロールすることができる。
【００３２】
尚、本実施形態に係わる屋根Ｙの屋根勾配については、建築する地域の立地条件や気候条件、隣接する家屋との関係に応じて変化するものであり、上述した屋根勾配（約４０度）に限定されるものではない。
【００３３】
【発明の効果】
以上のように、本発明によれば、屋根の高さ制限や北側斜線問題に配慮した上でも屋根の重厚感を損なうことなく、また斬新なデザインを形成することができる建物の屋根構造を提供することできる。
【図面の簡単な説明】
【図１】本発明の実施形態に係る屋根Ｙの平面図である。
【図２】本発明の実施の形態に係る住宅Ｔの南側立面図である。
【図３】本発明の実施の形態に係る住宅Ｔの東側立面図である。
【図４】本発明の実施の形態に係る住宅Ｔの北側立面図である。
【図５】本発明の実施の形態に係る住宅Ｔの西側立面図である。
【符号の説明】
１、２  棟
３〜５  外壁
１０  寄棟屋根
１１  東側屋根面
１２  北側屋根面
１３  西側屋根面
１４  南側屋根面
１５〜１７  天窓
２０  切妻屋根
２１  東側屋根面
２２  西側屋根面
２３  南側屋根面
３０〜３６、３８、４０  窓
３７、３９  小窓
Ｈ  梁間方向
Ｔ  住宅
Ｙ  屋根
【図１】
2004346524.tif 000003
【図２】
2004346524.tif 000004
【図３】
2004346524.tif 000005
【図４】
2004346524.tif 000006
【図５】
2004346524.tif 000007